【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
記録媒体を収容する複数の記録媒体収容手段と、
画像情報が入力される画像入力手段と、
画像入力手段により入力された画像情報に基づいて記録媒体に画像を形成する画像形成手段と、
画像形成手段により画像形成された記録媒体に対して折りを施す折り手段と、
画像入力手段により入力される画像情報の画像サイズを取得する画像サイズ取得手段と、
折り設定が入力される折り設定入力手段と、
前記画像サイズ取得手段により取得された画像サイズ及び前記折り設定入力手段による折り設定に基づいて、前記複数の記録媒体収容手段の中から一の記録媒体収容手段を選択し、選択された記録媒体収容手段に収容された記録媒体に対し前記画像入力手段により入力された画像情報を前記画像形成手段により画像形成し、画像形成された記録媒体に対し前記折り手段により折りを施すように制御する制御手段と、
を有することを特徴とする画像形成システム。
【請求項２】
前記制御手段は、前記画像サイズ取得手段により取得された画像サイズに基づいて記録媒体のサイズを決定し、決定された記録媒体のサイズと前記折り設定入力手段により入力された折り設定とに基づいて前記複数の記録媒体収容手段の中から一の記録媒体収容手段を選択することを特徴とする請求項１に記載の画像形成システム。
【請求項３】
前記複数の記録媒体収容手段は、同サイズで向きの異なる記録媒体をそれぞれ収容する収容手段を含み、
前記制御手段は、前記決定された記録媒体のサイズが前記同サイズで向きが同じであり、前記折り設定入力手段により折りが設定されている場合には、前記同サイズで向きの異なる記録媒体をそれぞれ収容する記録媒体収容手段のうち、前記折り手段により折りを施すことが可能な向きの記録媒体を収容する記録媒体収容手段を選択することを特徴とする請求項２に記載の画像形成システム。
【請求項４】
前記折り手段により折りを施すことが可能な記録媒体の種類のテーブルを記憶する記憶手段を有し、
前記制御手段は、前記記憶手段に記憶されたテーブルに基づいて前記折り手段により折りを施すことが可能な向きの記録媒体を収容する記録媒体収容手段を選択することを特徴とする請求項３に記載の画像形成システム。
【請求項５】
前記画像サイズ取得手段により取得された画像サイズに基づいて前記複数の記録媒体収容手段の中から一の記録媒体収容手段を選択する自動記録媒体選択を設定する自動記録媒体選択設定手段を有し、
前記自動記録媒体選択設定手段により自動記録媒体選択が設定された際に、前記制御手段は前記制御を行うことを特徴とする請求項１〜３の何れか一項に記載の画像形成システム。
【請求項６】
記録媒体を収容する複数の記録媒体収容手段と、
画像情報が入力される画像入力手段と、
画像入力手段により入力された画像情報に基づいて記録媒体に画像を形成する画像形成手段と、
画像形成手段により画像形成された記録媒体に対して３つ折りを施す３つ折り手段と、
３つ折り設定が入力される折り設定入力手段と、
前記３つ折り設定が入力された場合は、短辺方向が記録媒体搬送方向に平行する縦位置の記録媒体の給紙は行わず、横位置の記録媒体の給紙は行い、給紙した横位置の記録媒体に対して前記画像入力手段により入力された画像情報に基づいて前記画像形成手段により画像形成し、画像形成された記録媒体に対し前記折り手段により３つ折りを施すように制御する制御手段と、
を有することを特徴とする画像形成システム。
【請求項７】
記録媒体束をステープルするステープラと、
３つ折りが施された記録媒体が排出される排紙トレイ１と、
折りが施されずに前記ステープラでステープルのみ施された記録媒体束が排出される排紙トレイ２と、
を有することを特徴とする請求項６に記載の画像形成システム。
【請求項８】
記録媒体を収容する複数の記録媒体収容手段と、
画像情報が入力される画像入力手段と、
画像入力手段により入力された画像情報に基づいて記録媒体に画像を形成する画像形成手段と、
画像入力手段により入力される画像情報の画像サイズを取得する画像サイズ取得手段と、
折り設定が入力される折り設定入力手段と、
前記画像サイズ取得手段により取得された画像サイズ及び前記折り設定入力手段による折り設定の入力に基づいて、前記複数の記録媒体収容手段の中から一の記録媒体収容手段を選択し、選択された記録媒体収容手段に収容された記録媒体に対し前記画像入力手段により入力された画像情報を前記画像形成手段により画像形成するように制御する制御手段と、
を有することを特徴とする画像形成装置。
【請求項９】
記録媒体を収容する複数の記録媒体収容手段と、
画像情報が入力される画像入力手段と、
画像入力手段により入力された画像情報に基づいて記録媒体に画像を形成する画像形成手段と、
３つ折り設定が入力される折り設定入力手段と、
前記３つ折り設定が入力された場合は、短辺方向が記録媒体搬送方向に平行する縦位置の記録媒体の給紙は行わず、横位置の記録媒体の給紙は行い、給紙した横位置の記録媒体に対して前記画像入力手段により入力された画像情報に基づいて前記画像形成手段により画像形成し、画像形成された記録媒体に対し前記折り手段により３つ折りを施すように制御する制御手段と、
を有することを特徴とする画像形成装置。
【請求項１０】
画像情報が入力されるステップと、
前記画像情報の画像サイズを取得するステップと、
折り設定が入力されるステップと、
前記画像サイズ及び前記折り設定に基づいて、複数の記録媒体収容手段の中から一の記録媒体収容手段を選択するステップと、
選択された記録媒体収容手段に収容された記録媒体に対し、前記画像情報を画像形成するステップと、
をコンピュータに実行させることを特徴とするプログラム。
【手続補正２】
【補正対象書類名】明細書
【補正対象項目名】０００９
【補正方法】変更
【補正の内容】
【０００９】
本発明の画像形成システムは、記録媒体を収容する複数の記録媒体収容手段と、画像情報が入力される画像入力手段と、画像入力手段により入力された画像情報に基づいて記録媒体に画像を形成する画像形成手段と、画像形成手段により画像形成された記録媒体に対して折りを施す折り手段と、画像入力手段により入力される画像情報の画像サイズを取得する画像サイズ取得手段と、折り設定が入力される折り設定入力手段と、前記画像サイズ取得手段により取得された画像サイズ及び前記折り設定入力手段による折り設定に基づいて、前記複数の記録媒体収容手段の中から一の記録媒体収容手段を選択し、選択された記録媒体収容手段に収容された記録媒体に対し前記画像入力手段により入力された画像情報を前記画像形成手段により画像形成し、画像形成された記録媒体に対し前記折り手段により折りを施すように制御する制御手段と、を有することを特徴としている。
さらに本発明の画像形成システムは、記録媒体を収容する複数の記録媒体収容手段と、画像情報が入力される画像入力手段と、画像入力手段により入力された画像情報に基づいて記録媒体に画像を形成する画像形成手段と、画像形成手段により画像形成された記録媒体に対して３つ折りを施す３つ折り手段と、３つ折り設定が入力される折り設定入力手段と、前記３つ折り設定が入力された場合は、短辺方向が記録媒体搬送方向に平行する縦位置の記録媒体の給紙は行わず、横位置の記録媒体の給紙は行い、給紙した横位置の記録媒体に対して前記画像入力手段により入力された画像情報に基づいて前記画像形成手段により画像形成し、画像形成された記録媒体に対し前記折り手段により３つ折りを施すように制御する制御手段と、を有することを特徴としている。
【手続補正３】
【補正対象書類名】明細書
【補正対象項目名】００１０
【補正方法】変更
【補正の内容】
【００１０】
本発明の画像形成装置は、記録媒体を収容する複数の記録媒体収容手段と、画像情報が入力される画像入力手段と、画像入力手段により入力された画像情報に基づいて記録媒体に画像を形成する画像形成手段と、画像入力手段により入力される画像情報の画像サイズを取得する画像サイズ取得手段と、折り設定が入力される折り設定入力手段と、前記画像サイズ取得手段により取得された画像サイズ及び前記折り設定入力手段による折り設定の入力に基づいて、前記複数の記録媒体収容手段の中から一の記録媒体収容手段を選択し、選択された記録媒体収容手段に収容された記録媒体に対し前記画像入力手段により入力された画像情報を前記画像形成手段により画像形成するように制御する制御手段と、を有することを特徴とする画像形成装置。
さらに本発明の画像形成装置は、記録媒体を収容する複数の記録媒体収容手段と、画像情報が入力される画像入力手段と、画像入力手段により入力された画像情報に基づいて記録媒体に画像を形成する画像形成手段と、３つ折り設定が入力される折り設定入力手段と、前記３つ折り設定が入力された場合は、短辺方向が記録媒体搬送方向に平行する縦位置の記録媒体の給紙は行わず、横位置の記録媒体の給紙は行い、給紙した横位置の記録媒体に対して前記画像入力手段により入力された画像情報に基づいて前記画像形成手段により画像形成し、画像形成された記録媒体に対し前記折り手段により３つ折りを施すように制御する制御手段と、を有することを特徴とする画像形成装置。
【手続補正４】
【補正対象書類名】明細書
【補正対象項目名】００１１
【補正方法】変更
【補正の内容】
【００１１】
本発明のプログラムは、画像情報が入力されるステップと、前記画像情報の画像サイズを取得するステップと、折り設定が入力されるステップと、前記画像サイズ及び前記折り設定に基づいて、複数の記録媒体収容手段の中から一の記録媒体収容手段を選択するステップと、選択された記録媒体収容手段に収容された記録媒体に対し、前記画像情報を画像形成するステップと、をコンピュータに実行させることを特徴としている。